(57)【特許請求の範囲】
【請求項１】
手術に用いられる物品を収納するための収納空間を有し、少なくとも保冷用バケットおよび保温用バケットを含む複数のバケットと、
各バケットの前記収納空間が外部に開放可能となるように、前記各バケットを保持するバケット保持体と、
前記バケット保持体に設けられる第１熱源体であって、第１吸熱部および第１放熱部を有し、前記第１吸熱部は、前記保冷用バケットに臨んで配置される第１熱源体と、
前記バケット保持体に設けられる第２熱源体であって、第２吸熱部および第２放熱部を有し、前記第２放熱部は、前記保温用バケットに臨んで配置される第２熱源体と、
前記バケット保持体に設けられ、前記第１および前記第２熱源体に電力を供給する電源手段と、
前記バケット保持体に設けられ、前記第１熱源体の第１放熱部で発生した温熱を、前記第１および第２放熱部間で熱媒体を循環させて、前記第２熱源体の第２放熱部に導く伝熱手段とを、含むことを特徴とする手術室用保温保冷装置。
【請求項２】
前記バケット保持体に設けられ、前記第２熱源体の第２放熱部によって発生した温熱を放出することによって、前記保冷用バケットの収納空間内の温度および前記保温用バケットの収納空間内の温度を調整する温度調整手段を、さらに含むことを特徴とする請求項１に記載の手術室用保温保冷装置。
【請求項３】
前記第１熱源体および前記第２熱源体は、ペルチェ素子を含み、
前記電源手段は、充電式電源装置であることを特徴とする請求項１または２に記載の手術室用保温保冷装置。
【請求項４】
前記保冷用バケットは、前記バケット保持体の最上位に配置されることを特徴とする請求項１〜３のいずれか１つに記載の手術室用保温保冷装置。
【請求項５】
前記バケット保持体は、透光性および断熱性を有する蓋体が開閉可能に設けられる天板を有し、
前記保冷用バケットは、前記蓋体によって前記収納空間が開放可能であることを特徴とする請求項４に記載の手術室用保温保冷装置。
【請求項６】
前記複数のバケットおよび前記バケット保持体は、非磁性材料から成ることを特徴とする請求項１〜５のいずれか１つに記載の手術室用保温保冷装置。
【請求項７】
前記複数のバケットおよび前記バケット保持体は、抗菌性に優れた材料から成ることを特徴とする請求項１〜６のいずれか１つに記載の手術室用保温保冷装置。
【請求項８】
前記保冷用バケットおよび保温用バケットの少なくとも一方には、該バケットを前記バケット保持体に対して前記収納空間の開放位置への変位を阻止するロック手段が設けられることを特徴とする請求項１〜７のいずれか１つに記載の手術室用保温保冷装置。
【発明の詳細な説明】
【技術分野】
【０００１】
本発明は、手術室で使用される医療器具および薬品などの物品を適温で保管し、供給することができる利便性の向上された手術室用保温保冷装置に関する。
【背景技術】
【０００２】
従来技術では、手術室で使用する医療器具、医療器材および薬品などの物品は、手術室の壁部に埋め込まれたステンレス製の器材棚などに保管され、手術時に使用される。前記器材棚には、保温庫および保冷庫が固定的に設置される場合が多い。この場合、手術前に複数の術者が必要とする物品を想定し、常に保温または保冷しておく必要があり、利便性が悪いという問題がある。
【０００３】
また、医療器材および薬品などの物品を院内の中央材料室より前記器材棚まで移動する間、適温で保存することができないという問題がある。
【０００４】
他の従来技術は、たとえば特許文献１に記載されている。この従来技術では、手術室の壁に室外側へ凹ませたアルコーブを形成し、アルコーブ内に手術室に必要な複数の器材を埋め込むように設置し、手術室を構築した後に仕様が変更された場合でも、設置済みの器材を取り外し後に、別の器材を設置できるようにし、器材の交換や配置替えを柔軟に行うことができる技術が提案されている。
【先行技術文献】
【特許文献】
【０００５】
【特許文献１】特開２００９−２９９４０９号公報
【発明の概要】
【発明が解決しようとする課題】
【０００６】
前記他の従来技術では、アルコーブ内に器材を埋め込むように設置されるので、患者毎に手術に必要な器具および薬品などの物品を、使用に適した温度で保管するためには、物品の保管場所が煩雑となり、しかも前記器具はアルコーブ内に設置されているため、手術台から離れており、迅速に適温状態で使用に供することができないという問題がある。
【０００７】
本発明の目的は、患者毎に適温状態で使用に供することができる利便性の向上された手術室用保温保冷装置を提供することである。
【課題を解決するための手段】
【０００８】
本発明は、手術に用いられる物品を収納するための収納空間を有し、少なくとも保冷用バケットおよび保温用バケットを含む複数のバケットと、
各バケットの前記収納空間が外部に開放可能となるように、前記各バケットを保持するバケット保持体と、
前記バケット保持体に設けられる第１熱源体であって、第１吸熱部および第１放熱部を有し、前記第１吸熱部は、前記保冷用バケットに臨んで配置される第１熱源体と、
前記バケット保持体に設けられる第２熱源体であって、第２吸熱部および第２放熱部を有し、前記第２放熱部は、前記保温用バケットに臨んで配置される第２熱源体と、
前記バケット保持体に設けられ、前記第１および前記第２熱源体に電力を供給する電源手段と、
前記バケット保持体に設けられ、前記第１熱源体の第１放熱部で発生した温熱を、前記第１および第２放熱部間で熱媒体を循環させて、前記第２熱源体の第２放熱部に導く伝熱手段とを、含むことを特徴とする手術室用保温保冷装置である。
【０００９】
また本発明は、前記バケット保持体に設けられ、前記第１熱源体の第１放熱部で吸熱した温熱を、前記第２熱源体の第２放熱部に導く伝熱手段を、さらに含むことを特徴とする。
【００１０】
また本発明は、前記バケット保持体に設けられ、前記第２熱源体の第２放熱部によって発生した温熱を放出することによって、前記保冷用バケットの収納空間内の温度および前記保温用バケットの収納空間内の温度を調整する温度調整手段を、さらに含むことを特徴とする。
【００１１】
また本発明は、前記第１熱源体および前記第２熱源体は、たとえばペルチェ素子を含み、
前記電源手段は、たとえば移動中などに商用交流電源のコンセントなどの端子部から電力を取ることが困難な場合にあっては、充電式電池などの充電式電源装置からの供給へ切り換わることを特徴とする。
【００１２】
また本発明は、前記保冷用バケットは、前記バケット保持体の最上位に配置されることを特徴とする。
【００１３】
また本発明は、前記バケット保持体は、透光性および断熱性を有する蓋体が開閉可能に設けられる天板を有し、
前記保冷用バケットは、前記蓋体によって前記収納空間が開放可能であることを特徴とする。
【００１４】
また本発明は、前記複数のバケットおよび前記バケット保持体は、非磁性材料から成ることを特徴とする。
【００１５】
また本発明は、前記複数のバケットおよび前記バケット保持体は、抗菌性に優れた材料から成ることを特徴とする。
【００１６】
また本発明は、前記保冷用バケットおよび保温用バケットの少なくとも一方には、該バケットを前記バケット保持体に対して前記収納空間の開放位置への変位を阻止するロック手段が設けられることを特徴とする。
【発明の効果】
【００１７】
本発明によれば、バケット保持体には、複数のバケットが、該バケットの収納空間を開放可能に保持される。このバケット保持体には、第１熱源体と第２熱源体とが設けられる。第１熱源体は、第１吸熱部と第１放熱部と有し、第１吸熱部が前記複数のバケットのうちの保冷用バケットに臨んで配置される。第２熱源体は、第２吸熱部と第２放熱部とを有し、第２放熱部が前記複数のバケットのうちの保温用バケットに臨んで配置される。これらの第１および第２熱源体には、電源手段から電力が供給され、第１および第２吸熱部の温度を低下させ、第１および第２放熱部の温度を上昇させることができる。
【００１８】
このようにバケット保持体には、少なくとも保冷用バケットと保温用バケットとが設けられるので、手術室で使用される医療器具および薬品などの物品を適温で保管することができる。これによって、患者毎に適温状態で物品を使用に供することが可能となり、利便性を向上することができる。
【００１９】
また、バケット保持体に設けられる伝熱手段によって、第１熱源体の第１放熱部で発生した温熱が、第２熱源体の第２放熱部に導かれるので、保温用バケットで吸熱した温熱を保温に有効に利用し、省エネルギ化を図ることができる。
【００２０】
また本発明によれば、バケット保持体に設けられる温度調整手段によって、第２熱源体の第２放熱部によって発生した温熱を放出して、保冷用バケットの収納空間内の温度および保温用バケットの収納空間内の温度を調整することができるので、第１および第２熱源体のオン・オフ動作を可及的に少なくして、第１および第２熱源体の劣化を抑制し、耐久性を向上することができる。
【００２１】
また本発明によれば、第１および第２熱源体のペルチェ素子に、バケット保持体に設けられる充電式電源装置によって駆動電力を供給することができる。これによって、手術室に設けられる商用交流電源のコンセントなどの端子部から電力を取ることが困難な場合、たとえば移動中であっても、前記充電用電源装置の電力によって第１および第２熱源体を動作させることができ、使用上の利便性を向上することができる。
【００２２】
また本発明によれば、バケット保持体には保冷用バケットが最上位に配置されるので、たとえば血液および低温に保たなければならない薬品の取入れ・取出し時に、従来技術の前面開放式の場合のように、冷気がバケット内から下方へ漏れることが防がれ、保冷用バケット内の冷気の漏れを極力防ぐことができる。
【００２３】
また本発明によれば、バケット保持体が透光性および断熱性を有する蓋体が開閉可能に設けられる天板を有し、保冷用バケットは、前記蓋体によって前記収納空間が開放可能に構成されるので、保冷用バケットの収納空間内を、外部から蓋体を通して視認することができ、保冷用バケットの収納空間に手術に必要な物品が収容されているか否か、収容個数、向きなどの収納状態などを外部から容易に確認することができる。また蓋体は、断熱性を有するので、保冷用バケットの収納空間内が外光によって温度上昇することが抑制され、所望する温度を維持することができる。
【００２４】
また本発明によれば、前記複数のバケットおよび前記バケット保持体は、非磁性材料から成るので、被収容物に対するＭＲＩなどの電磁波の影響を排除することができる。
【００２５】
また本発明によれば、前記複数のバケットおよび前記バケット保持体は、抗菌性に優れた材料から成るので、手術室用保温保冷装置の菌による汚染を防止することができる。
【００２６】
また本発明によれば、前記保冷用バケットおよび保温用バケットの少なくとも一方には、該バケットを前記バケット保持体に対して前記収納空間の開放位置への変位を阻止するロック手段が設けられるので、第３者によるバケットの開放が防止され、安全性が向上されている。
【図面の簡単な説明】
【００２７】
【図１】本発明の一実施形態の手術室用保温保冷装置１を正面側から見た断面図である。
【図２】手術室用保温保冷装置１を図１の切断面線Ｉ−Ｉから見た断面図である。
【図３】手術室用保温保冷装置１を背後側から見た断面図である。
【図４】手術室用保温保冷装置１を図１の上方から見た平面図である。
【図５】手術室用保温保冷装置１を図１の切断面線Ｖ−Ｖから見た断面図である。
【図６】手術室用保温保冷装置１が手術室２に配置された状態の外観を示す斜視図である。
【図７】保冷用バケット４ａおよびその近傍の拡大断面図である。
【図８】保温用バケット４ｂおよびその近傍の拡大断面図である。
【図９】ペルチェ素子２０を示す平面図である。
【図１０】ペルチェ素子２０の側面図である。
【図１１】蓋体２１の断面図である。
【図１２】蓋体２１の平面図である。
【発明を実施するための形態】
【００２８】
図１は本発明の一実施形態の手術室用保温保冷装置１を正面側から見た断面図であり、図２は手術室用保温保冷装置１を図１の切断面線Ｉ−Ｉから見た断面図であり、図３は手術室用保温保冷装置１を背後側から見た断面図である。図４は手術室用保温保冷装置１を図１の上方から見た平面図であり、図５は手術室用保温保冷装置１を図１の切断面線Ｖ−Ｖから見た断面図であり、図６は手術室用保温保冷装置１が手術室２に配置された状態の外観を示す斜視図である。
【００２９】
本実施形態の手術室用保温保冷装置１は、手術室２に用いられる物品を収納するための収納空間３を有し、少なくとも保冷用バケット４ａおよび保温用バケット４ｂを含む複数のバケット４ａ〜４ｄ（総称する場合には、添え字ａ，ｂ，ｃ，ｄを省略して「バケット４」と記す）と、各バケット４の前記収納空間３が外部に開放可能となるように、前記各バケット４を保持するバケット保持体５と、バケット保持体５に設けられ、第１吸熱部６および第１放熱部７を有し、前記第１吸熱部６は保冷用バケット４ａに臨んで配置される第１熱源体８と、前記バケット保持体５に設けられ、第２吸熱部９および第２放熱部１０を有し、第２放熱部１０は、保温用バケット４ｂに臨んで配置される第２熱源体１１と、前記バケット保持体５に設けられ、第１および前記第２熱源体８，１１に電力を供給する電源手段１２とを含む。前記第１および第２吸熱部６，９は、たとえば熱伝導性に優れたアルミニウムまたはアルミニウム合金製のブロックから成り、第１および第２放熱部７、１０は、たとえば断面が櫛歯状の熱伝導性に優れたアルミニウム製のヒートシンクから成る。
【００３０】
前記手術室用保温保冷装置１はさらに、バケット保持体５に設けられ、前記第１熱源体８の第１放熱部７で発生した温熱を、第２熱源体１１の第２放熱部１０に導く伝熱手段１３と、前記バケット保持体５に設けられ、第２熱源体１１の第２放熱部１０によって発生した温熱を放出することによって、前記保冷用バケット４ａの収納空間３内の温度および前記保温用バケット４ｂの収納空間３内の温度を調整する温度調整手段２８とをさらに含む。
【００３１】
この温度調整手段２８は、バケット保持体５の保温用バケット４ｂに臨む壁面に設けられる排気ファン１４と、複数（本実施形態では４）の排気ダクト１５とを含んで構成され、第２熱源体１１の第２放熱部１０に発生した熱の排出量を調整し、保冷用バケット４ａおよび保温用バケット４ｂ内の温度調整を行うことができる。前記電源手段１２は、充電式電源装置であるバッテリによって実現される。
【００３２】
前記バケット保持体５の下部には、４つのキャスタ２５が設けられ、これらのキャスタ２５によって手術室用保温保冷装置１は手術室２および通路などの床２６上を自在に移動させて、医材などの物品を運搬し、未使用時などにはアルコーブ２９内に退避させておくことができる。伝熱手段１３は、水などの熱媒体をチューブなどを含む循環経路を構築して第１および第２放熱部７，１０間で温水を循環させ、第１および第２熱源体８，１１で廃熱を有効利用することができるように構成される。
【００３３】
図７は保冷用バケット４ａおよびその近傍の拡大断面図であり、図８は保温用バケット４ｂおよびその近傍の拡大断面図であり、図９はペルチェ素子２０を示す平面図であり、図１０はペルチェ素子２０の側面図である。前記保冷用バケット４ａは、バケット保持体５の前記保温用バケット４ｂよりも上方に配置される。この保冷用バケット４ａの下方には、前記第１熱源体８および前記第２熱源体１１が設けられる。第１熱源体８および前記第２熱源体１１は、各複数（本実施形態では４）のペルチェ素子２０をそれぞれ有する。各ペルチェ素子２０としては、一例として述べると、室内の測定温度が２７℃でＡＣ抵抗計４端子測定法によって測定した抵抗値が２．３Ω、最大温度差を得るための最大電流が６．０Ａ、最大温度差を得るための最大電圧が１５．７Ｖ、温度差が０℃における吸熱量である最大吸熱量が５５．６Ｗ（２７℃）、６１．０Ｗ（５０℃）、吸熱量０Ｗにおける温度差である最大温度差が７０℃〜７７℃のペルチェ素子が用いられる。
【００３４】
また前記保温用バケット４ｂは、一対のガイドレール２４によって水平に移動可能に構成される。
【００３５】
図１１は蓋体２１の断面図であり、図１２は蓋体２１の平面図である。前記バケット保持体５は、空気層を挟んだ３層のパネル構造とされて透光性および断熱性を有する蓋体２１がヒンジ２３によって開閉可能に設けられる天板２２を有する。前記保冷用バケット４ａは、前記蓋体２１によって前記収納空間３が開放可能である。
【００３６】
また前記複数のバケット４および前記バケット保持体５は、抗菌性に優れた非磁性体材料、たとえばステンレス鋼または合成樹脂から成るので、被収容物に対するＭＲＩなどの電磁波の影響を排除し、菌による汚染を防止することができる。
【００３７】
また前記保冷用バケット４ａおよび保温用バケット４ｂの少なくとも一方には、該バケット４を前記バケット保持体５に対して前記収納空間３の開放位置への変位を阻止するロック手段２７が設けられるので、第３者によるバケットの開放が防止され、安全性が向上されている。このロック手段２７は、たとえば電子式キーロック機構によって実現される。
【００３８】
このように構成される本実施形態の手術室用保温保冷装置１によれば、バケット保持体５には、複数のバケットが、該バケットの収納空間３を開放可能に保持される。このバケット保持体５には、第１熱源体８と第２熱源体１１とが設けられる。第１熱源体８は、第１吸熱部６と第１放熱部７と有し、第１吸熱部６が前記複数のバケット４のうちの保冷用バケット４ａに臨んで配置される。第２熱源体１１は、第２吸熱部９と第２放熱部１０とを有し、第２放熱部１０が前記複数のバケット４のうちの保温用バケット４ｂに臨んで配置される。これらの第１および第２熱源体８，１１には、電源手段１２から電力が供給され、第１および第２吸熱部６，９の温度を低下させ、第１および第２放熱部７，１０の温度を上昇させることができる。
【００３９】
このようにバケット保持体５には、少なくとも保冷用バケットと保温用バケットとが設けられるので、手術室２で使用される医療器具および薬品などの物品を適温で保管することができる。これによって、患者毎に適温状態で物品を使用に供することが可能となり、利便性を向上することができる。
【００４０】
また、バケット保持体５に設けられる伝熱手段１３によって、第１熱源体８の第１放熱部７で発生した温熱が、第２熱源体１１の第２放熱部１０に導かれるので、保冷部で吸熱した温熱を保温に有効に利用し、省エネルギ化を図ることができる。
【００４１】
また、バケット保持体５に設けられる温度調整手段２８によって、第２熱源体１１の第２放熱部１０によって発生した温熱を放出して、保冷用バケット４ａの収納空間３内の温度および保温用バケット４ｂの収納空間３内の温度を調整することができるので、第１および第２熱源体８，１１のオン・オフ動作を可及的に少なくして、第１および第２熱源体８，１１の劣化を抑制し、耐久性を向上することができる。
【００４２】
また、第１および第２熱源体８，１１のペルチェ素子に、バケット保持体５に設けられる充電式電源装置によって駆動電力を供給することができる。これによって、手術室に設けられる商用交流電源のコンセントなどの端子部から電力を取ることが困難な場合、たとえば移動中であっても、前記充電用電源装置の電力によって第１および第２熱源体８，１１を動作させることができ、使用上の利便性を向上することができる。
【００４３】
また、バケット保持体５には保冷用バケット４ａが最上位に配置されるので、たとえば血液および低温に保たなければならない薬品の取入れ・取出し時に、従来技術の前面開放式の場合のように、冷気がバケット内から下方へ漏れることが防がれ、保冷用バケット内の冷気の漏れを極力防ぐことができる。
【００４４】
また、バケット保持体５が透光性および断熱性を有する蓋体２１が開閉可能に設けられる天板２２を有し、保冷用バケット４ａは、前記蓋体２１によって前記収納空間３が開放可能に構成されるので、保冷用バケット４ａの収納空間３内を、外部から蓋体２１を通して視認することができ、保冷用バケット４ａの収納空間３に手術に必要な物品が収容されているか否か、収容個数、向きなどの収納状態などを外部から容易に確認することができる。また蓋体２１は、断熱性を有するので、保冷用バケット４ａの収納空間３内が外光によって温度上昇することが抑制され、所望する温度を維持することができる。
【００４５】
また、従来の埋込み器材に代えてカート方式とするによって、生理食塩水や血液・薬品類を保管する保冷庫・保温庫を自在に移動することが可能となり、医材および生理食塩水・血液・薬品類のすべてを保管・在庫している病院などの中央材料部から、手術を受ける患者一人毎に一人分の物品を搭載し、手術室２へ供給することができる。
【００４６】
これによって一人分の生理食塩水・血液・薬品類が収容でき、カートに搭載するため小形化し、手術室用保温保冷装置１に前記物品を搭載して、バッテリ駆動によって保冷・保温状態を保ちながら、患者への使用間違いなく、必要な医材を供給することができる。
【符号の説明】
【００４７】
１  手術室用保温保冷装置
２  手術室
３  収納空間
４  バケット
５  バケット保持体
６  第１吸熱部
７  第１放熱部
８  第１熱源体
９  第２吸熱部
１０  第２放熱部
１１  第２熱源体
１２  電源手段
【図１】
0005922405.tif 000002
【図２】
0005922405.tif 000003
【図３】
0005922405.tif 000004
【図４】
0005922405.tif 000005
【図５】
0005922405.tif 000006
【図６】
0005922405.tif 000007
【図７】
0005922405.tif 000008
【図８】
0005922405.tif 000009
【図９】
0005922405.tif 000010
【図１０】
0005922405.tif 000011
【図１１】
0005922405.tif 000012
【図１２】
0005922405.tif 000013